(57)【要約】      （修正有）【課題】単眼・双眼を問わずあらゆる顕微鏡に使用することができ、装着及び位置合わせが容易で安価に製造できる顕微鏡用簡易型カメラアダプタを提供する。【解決手段】対象物の観察像を得るべく、カメラを顕微鏡へ取り付けるための顕微鏡用簡易型カメラアダプタは、圧迫手段により口径の異なる顕微鏡の接眼レンズの鏡筒に固定することのできる鏡筒接続部２０と、カメラ保持部材５０と固定ネジ５２とからなり、ネジ締めによりカメラ本体を固定できるカメラ保持部と、鏡筒接続部及びカメラ保持部を接続しカメラ高さ調整部材３０及び水平調整部４０により位置決め可能な位置調整部とからなる。また、カメラ保持部に、スマートフォンを保持固定できるスマートフォン保持部５３が設けられている。【選択図】図１
0003190190.tif 000002
【実用新案登録請求の範囲】
【請求項１】
顕微鏡を用いて観察される対象物の観察像を得るべく、カメラを顕微鏡へ取り付けるための顕微鏡用カメラアダプタにおいて、圧迫手段により口径の異なる顕微鏡の接眼レンズの鏡筒に固定することのできる鏡筒接続部と、ネジ締めによりカメラ本体を固定できるカメラ保持部と、前記鏡筒接続部及び前記カメラ保持部を接続し位置決め可能な位置調整部とからなることを特徴とする顕微鏡用簡易型カメラアダプタ。
【請求項２】
前記圧迫手段は、鏡筒表面に沿って少なくとも２方向から圧迫を加える圧迫片を具備しており、圧迫及び圧迫の解放が容易にできる構成であることを特徴とする請求項１記載の顕微鏡用簡易型カメラアダプタ。
【請求項３】
前記位置調整部が、互いに直交する３軸方向へのカメラの移動を可能とする部材であることを特徴とする請求項１または２記載の顕微鏡用簡易型カメラアダプタ。
【請求項４】
前記カメラ保持部に、スマートフォンを保持固定できるスマートフォン保持部が設けられていることを特徴とする請求項３記載の顕微鏡用簡易型カメラアダプタ。
【請求項５】
前記スマートフォン保持部は、少なくとも２方向からスマートフォンに圧迫を加えるための圧迫片を具備しており、圧迫及び圧迫の解放が容易にできる構成であることを特徴とする請求項４記載の顕微鏡用簡易型カメラアダプタ。
【請求項６】
前記鏡筒接続部、前記カメラ保持部または前記位置調整部のいずれかにおいて、カメラを鏡筒の延長線上の定位置より、鏡筒から離れた退避位置まで容易に移動するための退避手段を備えていることを特徴とする請求項１乃至５のいずれかに記載の顕微鏡用簡易型カメラアダプタ。
【請求項７】
前記退避手段が、前記カメラ保持部または前記鏡筒接続部に設けられた回動手段であることを特徴とする請求項６記載の顕微鏡用簡易型カメラアダプタ。
【考案の詳細な説明】
【技術分野】
【０００１】  本考案は、顕微鏡用簡易型カメラアダプタに関する。
【背景技術】
【０００２】  顕微鏡用カメラアダプタは顕微鏡で観察された像をカメラで撮影するために、顕微鏡とカメラを接続するものであり、撮影された観察像を記録して保存したり、テレビモニターやスクリーンに観察像を映し出したりできる。顕微鏡やカメラの種類により、接眼レンズや鏡筒の径、カメラレンズの部分の形状は異なるため、その大きさに合わせるために顕微鏡用カメラアダプタの形状は様々な種類がある。この中で、顕微鏡用カメラアダプタ本体にレンズが内蔵されたものは写真直筒に挿入し、また接眼レンズを外して鏡筒に挿入して観察像を撮影する。【０００３】  これまで提案されている顕微鏡用カメラアダプタとしては、筒状の鏡筒接続部と筒状体を具備したものを特許文献１として本特許出願人が出願している。また、Ｌ字形状のアダプタが特許文献２に開示されている。さらに、特許文献３には顕微鏡固定筒、ベース台及びＬ型板からなるアダプタが提案されている。
【特許文献】
【０００４】
【特許文献１】実用新案登録第３１７１９８５号公報
【特許文献２】特開２００２−３５０７４０号公報
【特許文献３】特開２００２−２７７９５３号公報
【考案の開示】
【考案が解決しようとする課題】
【０００５】  特許文献１に示されたアダプタは、筒状の鏡筒接続部を用いているため、この接続部と顕微鏡の鏡筒の直径が近い場合には安定的に固定できる一方、鏡筒が細すぎる場合には安定的な固定が困難であり、また逆に鏡筒外径が接続部内径よりも大きい場合には、アダプタを装着することができない。【０００６】  特許文献２に開示されたアダプタは、接眼レンズを２個有する双眼顕微鏡を対象としたものであり、単眼顕微鏡に使用することができない。【０００７】  特許文献３に提案されているアダプタは、特許文献１と同様に顕微鏡固定筒を使用しているため、装着するためには、この固定筒の直径と顕微鏡の鏡筒の外径が近い必要がある。【０００８】  本考案は、このような従来技術の問題点を解決するためになされたものであり、単眼・双眼を問わずあらゆる顕微鏡に使用することができ、装着及び位置合わせが容易かつ正確にでき、さらに安価に製造できる顕微鏡用簡易型カメラアダプタを提供することを課題とする。また本考案は、スマートフォン型携帯電話をカメラとして使用するための顕微鏡用簡易型カメラアダプタを提供することも課題とする。
【課題を解決するための手段】
【０００９】  上記課題を解決するため、顕微鏡を用いて観察される対象物の観察像を得るべく、カメラを顕微鏡へ取り付けるための本考案による顕微鏡用カメラアダプタは、圧迫手段により口径の異なる顕微鏡の接眼レンズの鏡筒に固定することのできる鏡筒接続部と、ネジ締めによりカメラ本体を固定できるカメラ保持部と、前記鏡筒接続部及び前記カメラ保持部を接続し位置決め可能な位置調整部とからなることを特徴とする。【００１０】  前記位置調整部は、互いに直交する３軸方向へのカメラの移動を可能とする部材であることが望ましい。【００１１】  また本考案は、前記カメラ保持部に、スマートフォンを保持固定できるスマートフォン保持部が設けられていることを特徴とすることもできる。前記スマートフォン保持部は、少なくとも２方向からスマートフォンに圧迫を加えるための圧迫片を具備しており、圧迫及び圧迫の解放が容易にできる構成であることが好適である。【００１２】  前記鏡筒接続部、前記カメラ保持部または前記位置調整部のいずれかにおいて、カメラを鏡筒の延長線上の定位置より、鏡筒から離れた退避位置まで容易に移動するための退避手段を備えていることがより好適である。この退避手段については、前記カメラ保持部または前記鏡筒接続部に回動手段を設けることで実現することが可能である。
【考案の効果】
【００１３】  本考案による顕微鏡用簡易型カメラアダプタでは、既存の部品を有効利用することにより安価に製造することができるばかりでなく、装着・位置決めが容易かつ正確であり、高いカメラの位置安定性を得ることができる。また、ネジの操作により、カメラ鏡筒に位置決めしたカメラを容易に接眼レンズ視野から退避させることもできる。さらに、前記カメラ保持部に、スマートフォンを保持固定できるスマートフォン保持部を設けることにより、スマートフォンをカメラとして使用し、顕微鏡観察に利用することも可能となる。
【考案を実施するための最良の形態】
【実施例】
【００１４】  以下、図面に基づいて本考案の好適な実施例について説明する。図１に本考案の第１の実施例の写真を示した。この実施例は、ラッチ式の鏡筒接続部２０と、カメラ高さ調整部材３０及び水平調整部４０からなるカメラ位置調整部と、カメラ保持部材５０とカメラ固定ネジ５２とからなるカメラ保持部とからなる。これらの部品のほとんどは市販品を使用することができるため、アダプタを安価に製造することができる。この実施例においては、鏡筒接続部２０としてミノウラ社製スペースマウントＳＭ−２８３５を使用した。このマウントは片側がヒンジ２１により互いに回転可能に接続された２本の湾曲フィンガー２２、２３からなっており、フィンガー２２先端部に取り付けられたラッチ２４を相手方フィンガー２３先端部の突起部２７に係止し、レバー２５を回転することにより対象物に容易に固定することができる。これらのフィンガー２２、２３及びラッチ２４にある程度の柔軟性があり、また調整ネジ２８を回転させることによりフィンガー２２、２３間の距離を調整することができるため、異なる径を有する顕微鏡鏡筒に対しても容易に対応できる。【００１５】  位置調整部のカメラ高さ調整部材３０はＬ型に形成されており、中央部に連続した貫通空洞３１が形成されているため、鏡筒接続部固定ネジ２６を貫通空洞３１を通して鏡筒接続部２０の端部に形成されたネジ穴（図示してない）と螺合することにより、所望する位置で固定することができる。これにより、カメラを取り付けた際の接眼レンズとカメラとの距離を自由に設定することができる。【００１６】  水平位置調整部４０とカメラ保持部材５０の部分の拡大図を図２に示した。水平位置調整部４０としては、例えば（公序良俗違反につき、不掲載）を使用することができる。基材４１と垂直テーブル４３とが摺動自在に結合されており、垂直位置調整ネジ４２を回転することにより基材４１に対して垂直テーブル４３を垂直方向に移動することができる。【００１７】  垂直テーブル４３にはさらに、水平テーブル４５が摺動自在に結合されており、水平位置調整ネジ４４を回転することにより水平テーブル４５を垂直テーブル４３に対して水平方向に移動することができる。【００１８】  水平テーブル４５には、カメラ保持部材５０が固定されている。このカメラ保持部材５０は水平テーブル４５に対して一定の距離を離して両端の固定部５７，５８で固定されており、これらの固定部５７及び５８の間には中空部５６が形成されている。また、カメラ保持部材５０には長穴５１が形成されており、中空部５６からこの長穴５１を貫通して突出するようにカメラ固定ネジ５２が備えられている。【００１９】  カメラ高さ調整部材３０とカメラ位置調整部の基材４１とは水平調整部固定ネジ３２により固定されている。カメラを装着する場合は、カメラの底部をカメラ保持部材５０に接触させ、カメラ固定ネジ５２を回転することにより固定する。【００２０】  さらに本考案の特徴としては、カメラ固定ネジ５２にスマートフォン保持部５３を取り付けることにより、デジタルカメラだけでなくスマートフォンをカメラとして装着し使用することが可能となる。スマートフォン保持部５３の部材としては、例えば（公序良俗違���につき、不掲載）のホルダー部分が利用できる。このスマートフォン保持部５３においては、保持片５４及び５５が弾性的に伸縮できるよう結合されているため、２つの保持片の間隔を広げてスマートフォンを設置し、手を離すとこれらの保持片の弾性力によりスマートフォンが保持される。現在ではスマートフォンのカメラ機能が進歩してきており、通常のデジタルカメラと遜色ないまでになっているため、スマートフォンを顕微鏡撮影に使用することも十分に可能である。【００２１】  図３には、鏡筒接続部２０とカメラ高さ調整部材３０の拡大図を示した。カメラ位置調整部材３０は、１枚のＬ字型の部材でもよいが、ここでは補助片３３と結合した構成としてある。カメラ位置調整部材３０に対して補助片３３を回転させることにより、カメラを取り付けた際にカメラを鏡筒（図４の３参照）に対して垂直方向に回動して接眼レンズの視野から退避させることができる。また、それとは別に鏡筒接続部固定ネジ２６を緩めてカメラ位置調整部材３０を鏡筒接続部２０に対して回動させることにより、カメラをセ撃つガンレンズの視野から退避させることも可能である。【００２２】  図４には、本考案による顕微鏡用簡易型カメラアダプタにスマートフォン１を取り付けた上で、顕微鏡に装着した様子を示したものである。本アダプタは、鏡筒接続部２０のラッチにより顕微鏡の鏡筒に容易に装着可能であり、鏡筒接続部固定ネジ２６を緩めることにより鏡筒接続部２０に対するカメラ高さ調整部材３０の位置を容易に変えることができる。これにより、顕微鏡の接眼レンズ３とスマートフォン１との距離を設定できる。次に、垂直位置調整ネジ４２及び水平位置調整ネジ４４を回転させることにより、スマートフォン１の上下左右の位置関係を容易に調整することができる。【００２３】  上記実施例においては、使用する部材の具体名を挙げて説明したが、同様の機能を有する他の部材を使用することができることは言うまでもない。
【産業上の利用可能性】
【００２４】  本考案による顕微鏡用簡易型カメラアダプタでは、既存の市販部品を有効利用することにより安価に製造することができるばかりでなく、装着・位置決めが容易であり、しかも単眼・双眼を問わずあらゆる顕微鏡に使用することが可能であるため、カメラによる顕微鏡写真撮影に好適である。また、スマートフォン保持部を付加することにより、スマートフォンをカメラとして顕微鏡撮影に使用することが可能となる。
【図面の簡単な説明】
【００２５】
【図１】本考案による顕微鏡用簡易型カメラアダプタの実施例を示す図である。
【図２】図１に示した実施例における水平位置調整部とカメラ保持部材の部分の拡大図である。
【図３】図１に示した実施例における鏡筒接続部とカメラ高さ調整部材の拡大図である。
【図４】図１に示した実施例を顕微鏡に装着した使用状況を示す図である。
【符号の説明】
【００２６】１      カメラ本体
２      顕微鏡
３      顕微鏡接眼レンズ鏡筒
２０    鏡筒接続部
２１    ヒンジ
２２    フィンガー
２３    フィンガー
２４    ラッチ
２５    レバー
２６    鏡筒接続部固定ネジ
２７    突起部
２８    調整ネジ
３０    カメラ高さ調整部材
３１    貫通空洞
３２    水平調整部固定ネジ
３３    補助片
３４    長穴
４０    水平調整部
４１    基材
４２    垂直位置調整ネジ
４３    垂直テーブル
４４    水平位置調整ネジ
４５    水平テーブル
５０    カメラ保持部材
５１    長穴
５２    カメラ固定ネジ
５３    スマートフォン保持部
５４    保持片
５５    保持片
５６    中空部
５７    固定部
５８    固定部
【図１】
0003190190.tif 000003
【図２】
0003190190.tif 000004
【図３】
0003190190.tif 000005
【図４】
0003190190.tif 000006
【手続補正書】
【提出日】平成26年1月31日(2014.1.31)
【手続補正１】
【補正対象書類名】明細書
【補正対象項目名】００１６
【補正方法】変更
【補正の内容】
【００１６】水平位置調整部４０とカメラ保持部材５０の部分の拡大図を図２に示した。水平位置調整部４０としては、市販の２軸ステージを使用することができる。基材４１と垂直テーブル４３とが摺動自在に結合されており、垂直位置調整ネジ４２を回転することにより基材４１に対して垂直テーブル４３を垂直方向に移動することができる。
【手続補正２】
【補正対象書類名】明細書
【補正対象項目名】００２０
【補正方法】変更
【補正の内容】
【００２０】さらに本考案の特徴としては、カメラ固定ネジ５２にスマートフォン保持部５３を取り付けることにより、デジタルカメラだけでなくスマートフォンをカメラとして装着し使用することが可能となる。スマートフォン保持部５３の部材としては、市販のスマートフォン用ホルダー付き三脚のホルダー部分が利用できる。このスマートフォン保持部５３においては、保持片５４及び５５が弾性的に伸縮できるよう結合されているため、２つの保持片の間隔を広げてスマートフォンを設置し、手を離すとこれらの保持片の弾性力によりスマートフォンが保持される。現在ではスマートフォンのカメラ機能が進歩してきており、通常のデジタルカメラと遜色ないまでになっているため、スマートフォンを顕微鏡撮影に使用することも十分に可能である。